(57)【要約】      （修正有）【課題】作品の大きさに応じて炉室内容積を変更することのできる陶芸用の電気炉および炉室拡張ユニットを提供する。【解決手段】炉内容積を大きくするときは、電気炉１０の上扉１２を開き、作品を出し入れするための開口部を覆うように炉室拡張ユニット３０を炉本体１１の上に載置する。炉室拡張ユニットは、開口部と同一の形状・大きさの接続口を底面に備えた中空の部屋形状を成しており、中空部の内壁は断熱材で構成されている。炉室拡張ユニットを取り付けることによりその中空部の容積分だけ炉内容積が拡張する。また、炉室拡張ユニットはヒータを有し、接続ケーブル３５を炉本体のコネクタ２８に繋ぐと、炉本体側の温度センサおよび制御部により炉室拡張ユニットのヒータの発熱が制御される。【選択図】図１
2005337534.tif 000002
【特許請求の範囲】
【請求項１】
炉室の開放された開口部を覆うように設置され、
設置状態で前記開口部と連通する接続口が開口した中空の部屋形状を成す断熱性の壁で構成された炉室拡張ユニット。
【請求項２】
請求項１に記載の炉室拡張ユニットの接続口または所定の蓋体と前記炉室の開口部との間に単数または複数を連結して介挿される断熱性の壁で構成された筒状の炉室拡張ユニット。
【請求項３】
ヒータを設けた
ことを特徴とする請求項１または２に記載の炉室拡張ユニット。
【請求項４】
拡張する容積が所定以上の場合にヒータを設けた
ことを特徴とする請求項１または２に記載の炉室拡張ユニット。
【請求項５】
請求項１、２、３または４に記載の前記炉室拡張ユニットを取り付け可能な電気炉。
【請求項６】
温度センサと、
炉室内を加熱するヒータと、
前記温度センサが検知する温度に基づいて前記ヒータの発熱を制御する制御部とを備え、
前記制御部で前記炉室拡張ユニットの有するヒータの発熱を制御する
ことを特徴とする請求項５に記載の電気炉。
【請求項７】
前記開口部が炉室の上面で上向きに開口している
ことを特徴とする請求項５または６に記載の電気炉。
【請求項８】
複数の壁ユニットの組み合わせで中空の炉室が形成されるとともに、
組み合わせる壁ユニットの種類と数の少なくとも一方を変更でき、
この変更により炉室の内容積が変化する
ことを特徴とする電気炉。
【請求項９】
ヒータを有する壁ユニットとヒータのない壁ユニットの２種類を設けた
ことを特徴とする請求項８に記載の電気炉。
【請求項１０】
温度センサと、前記温度センサが検知する温度に基づいてヒータの発熱を制御する制御部とを備えた壁ユニットである制御用壁ユニットを設け、
前記制御用壁ユニットの制御部で他の壁ユニットの有するヒータの発熱を制御する
ことを特徴とする請求項９に記載の電気炉。
【発明の詳細な説明】
【技術分野】
【０００１】
本発明は、湯呑みなどの陶芸作品を焼成する陶芸用の電気炉に関する。
【背景技術】
【０００２】
陶芸作品を焼成する電気炉は、小型のものから大型のものまで各種のサイズが製造されている。
【０００３】
たとえば、内容積が１０リットル程度の小型の電気炉は、陶芸を習い始める初心者に適しており、湯呑みなどの小さい作品を焼成することができる。
【０００４】
【特許文献１】特開２００２−３５７３９１号公報
【発明の開示】
【発明が解決しようとする課題】
【０００５】
小型の電気炉は価格が手ごろなことから初心者向きであるが、少し上達すると湯呑みなどの小さい作品だけでは物足りなくなり、壷などのより大きな作品を創作したくなる。このような場合、最初に購入した小型の電気炉には作品が入らないので、陶芸教室にある大型の電気炉を借りて焼成するか、より大型の陶芸用電気炉に買い替えなければならなかった。
【０００６】
一方、大型の電気炉においては、湯呑みなどの小さい作品を焼成する場合にも広い炉室全体を加熱しなければならず、電気代が嵩むという問題があった。
【０００７】
本発明は、上記の問題を解決しようとする課題にするものであり、焼成する作品の大きさに応じて炉内容積を変更することのできる電気炉および炉室拡張ユニットを提供することを目的としている。
【課題を解決するための手段】
【０００８】
請求項１に係わる発明は、炉室の開放された開口部（１３）を覆うように設置され、設置状態で前記開口部（１３）と連通する接続口（３４）が開口した中空の部屋形状を成す断熱性の壁で構成された炉室拡張ユニット（３０）である。
【０００９】
上記発明によれば、炉室の開放された開口部（１３）に炉室拡張ユニット（３０）を設置すると、炉室内部と炉室拡張ユニット（３０）の内部空間とが連通し、作品を収容するための内容積が拡大する。
【００１０】
開口部（１３）は作品の出入口であっても、炉室拡張用に別途設けた開口であってもよい。炉室を標準の容積で使用する場合には開口部（１３）は閉じて使用され、炉室を拡張するときは、通常状態では閉じている扉を開放したり扉を取り外したりして開口部（１３）を開放し、この開放された開口部（１３）全体を覆うように炉室拡張ユニット（３０）を設置する。
【００１１】
炉室拡張ユニット（３０）の接続口（３４）の形状および大きさは炉室の開口部（１３）と同一であっても相違してもよい。たとえば、壷などの作品は下部より上部が細い場合が多いので、接続口（３４）を開口部（１３）の一部（たとえば中央部分）だけに開口するように構成してもよい。また炉室拡張ユニット（３０）の中空部は、接続口（３４）を底面とする直柱形状を成していることが好ましい。開口部（１３）は炉室の上面のほか側面に開口していてもよい。
【００１２】
請求項２に係わる発明は、請求項１に記載の炉室拡張ユニット（３０）の接続口（３４）または所定の蓋体と前記炉室の開口部（１３）との間に単数または複数個を連結して介挿される断熱性の壁で構成された筒状の炉室拡張ユニット（５０）である。
【００１３】
上記発明によれば、筒状の炉室拡張ユニット（５０）を炉室の開口部（１３）と炉室拡張ユニット（３０）の接続口（３４）または所定の蓋体との間に単数または複数個を連結して介挿することで、作品を収容するための内容積がさらに拡大する。また、筒状の炉室拡張ユニット（５０）の介挿個数を変えることで内容積が複数段階に調節される。蓋体には、たとえば、標準構成において炉室の開口部（１３）を閉鎖していた扉を使用してもよい。
【００１４】
請求項３に係わる発明は、ヒータを設けた
ことを特徴とする請求項１または２に記載の炉室拡張ユニット（３０）である。
【００１５】
上記発明によれば、拡張した部分が炉室拡張ユニット（３０）のヒータで加熱され、元々の炉室内部と拡張した部分との温度差が生じ難くなる。
【００１６】
請求項４に係わる発明は、拡張する容積が所定以上の場合にヒータを設けた
ことを特徴とする請求項１または２に記載の炉室拡張ユニット（３０）である。
【００１７】
上記発明によれば、拡張される容積が大きく、炉室内の温度差が許容範囲を超えると想定される場合は炉室拡張ユニット（３０）にヒータが設けられる。したがって、拡張する容積に応じてヒータを有する炉室拡張ユニット（３０）とヒータのない炉室拡張ユニット（３０）の２種類が用意される。
【００１８】
請求項５に係わる発明は、請求項１、２、３または４に記載の前記炉室拡張ユニット（３０）を取り付け可能な電気炉である。
【００１９】
この電気炉は、たとえば、開口部（１３）を閉鎖する扉が取り外し可能であるか、充分に（少なくとも９０度以上）開く構造を備えている。
【００２０】
請求項６に係わる発明は、温度センサ（１７）と、
炉室内を加熱するヒータと、
前記温度センサ（１７）が検知する温度に基づいて前記ヒータの発熱を制御する制御部（４０）とを備え、
前記制御部（４０）で前記炉室拡張ユニット（３０）の有するヒータの発熱を制御する
ことを特徴とする請求項５に記載の電気炉である。
【００２１】
上記発明によれば、電気炉の有する制御部（４０）により拡張ユニットの有するヒータの発熱が制御される。制御部（４０）を炉室拡張ユニット（３０）に別途設ける必要がなく、炉室拡張ユニット（３０）の構成が簡略化される。たとえば、炉室拡張ユニット（３０）のヒータは、コネクタを通じて電気炉の制御部（４０）に接続される。
【００２２】
請求項７に係わる発明は、前記開口部（１３）が炉室の上面で上向きに開口している
ことを特徴とする請求項５または６に記載の電気炉である。
【００２３】
上記発明によれば、高さ方向に炉内寸法が拡張されるので、壷など高さのある作品を焼成することが可能になる。また、熱は炉室内の空気の対流により上方に向かうので、上向きに拡張した場合には、拡張に伴う温度差が少なくなり、拡張する容積が少ない場合には炉室拡張ユニット（３０）にヒータを設けなくても適切な焼成が可能になる。
【００２４】
請求項８に係わる発明は、複数の壁ユニット（１１、１２、３０、５０）の組み合わせで中空の炉室が形成されるとともに、
組み合わせる壁ユニットの種類と数の少なくとも一方を変更でき、
この変更により炉室の内容積が変化する
ことを特徴とする電気炉である。
【００２５】
上記発明によれば、炉室は複数の壁ユニット（１１、１２、３０、５０）を組み合わせて構成されており、組み合わせる壁ユニットの種類や数を変更することで炉室の内容積が変化する。複数を組み合わせて炉室が形成されれば、それぞれの壁ユニットの形状や大きさは問わない。
【００２６】
請求項９に係わる発明は、ヒータを有する壁ユニットとヒータのない壁ユニットの２種類を設けた
ことを特徴とする請求項８に記載の電気炉である。
【００２７】
たとえば、各壁ユニットが寄与する容積に応じてヒータを有するものとヒータのないものとの２種類を設ければよい。
【００２８】
請求項１０に係わる発明は、温度センサ（１７）と、前記温度センサ（１７）が検知する温度に基づいてヒータの発熱を制御する制御部（４０）とを備えた壁ユニットである制御用壁ユニットを設け、
前記制御用壁ユニットの制御部（４０）で他の壁ユニットの有するヒータの発熱を制御する
ことを特徴とする請求項９に記載の電気炉である。
【００２９】
上記発明によれば、制御用壁ユニットの制御部（４０）で他の壁ユニットの有するヒータの発熱が制御される。たとえば、コネクタを通じて他の壁ユニットのヒータが制御用壁ユニットの制御部（４０）に接続される。
【発明の効果】
【００３０】
本発明に係わる電気炉および炉室拡張ユニットによれば、焼成する陶芸作品の大きさに応じて炉内容積を変更できるので、１台の電気炉で様々な大きさの作品に対応することができる。その結果、初心者のときは小型の標準構成で電気炉を購入し、上達に伴って炉室拡張ユニットや壁ユニットを追加すれば大きな作品にも対応できるので、１台の電気炉を無駄なく永く使用することができる。
【００３１】
また、作品の大きさに合わせて内容積を変更すれば、小さい作品を焼成する際に広い炉室全体を無駄に加熱することがなくなり、消費電力を低減することができる。
【００３２】
炉室拡張ユニットや壁ユニットにヒータを設けたものでは、容積を拡張した場合にも炉内に温度差が生じ難くなる。また、拡張する容積が所定以上の場合にだけヒータを設けたものでは、拡張する容積が小さい炉室拡張ユニットの価格を低減することができる。
【００３３】
電気炉や制御用壁ユニットが有する制御部から炉室拡張ユニットや他の壁ユニットのヒータの発熱を制御するものでは、制御部が共通化され、装置構成が簡略化される。
【発明を実施するための最良の形態】
【００３４】
以下、図面に基づき本発明の実施の形態を説明する。
【００３５】
図２は、本実施の形態に係わる電気炉１０の正面を、図３は扉部１２を開いた状態の電気炉１０を上から見た様子を示している。電気炉１０は、炉本体１１と、扉部１２とから構成されている。この電気炉１０は、炉室の内容積が１０リットル程度の小型の陶芸用電気炉である。
【００３６】
炉本体１１は、直方体の上面を除く５面を断熱性の壁で取り囲んだ中空の炉室を形成しており、作品を出し入れするための開口部１３が炉本体１１の上面中央で上向きに開口している。炉室の内壁は断熱材１４で形成されており、これら断熱材１４の外側を金属のケーシング１５で囲ってある。
【００３７】
炉室の内壁を成す断熱材１４には、図４に示すようなコイル状のヒータ１６が埋め込んである。また炉内の温度を検知する温度センサ１７が炉室の上下方向の略中央の位置で断熱材１４に取り付けてある。
【００３８】
扉部１２は、蝶番で開閉自在に炉本体１１に取り付けられている。扉部１２は、閉じた際に炉本体１１の開口部１３全体を覆う断熱材２１と、開口部１３と接する面を除いて断熱材２１を取り囲むようにして保持する金属のケーシング２２とから構成されている。扉部１２は、９０度以上の角度（たとえば、１００度）で開くことができ、ステー２３は、９０度以上開いた開放位置で扉部１２を保持する機能を果たす。
【００３９】
また、扉部１２の正面中央下端部には係止片２４が取り付けて有り、炉本体１１の正面中央上端部には扉部１２の係止片２４に係合させる係合片２５が取り付けてある。係止片２４と係合片２５は一対のパチン錠を成し、扉部１２を閉じた状態で係止片２４と係合片２５とを係合させることにより、閉鎖状態が保持される。また、後述する炉室拡張ユニット３０を固定するために炉本体１１の左右側面中央上端部にも係合片２５が設けてある。
【００４０】
このほか、図２に示すように、炉本体１１の正面右下部には、電源スイッチ２６と操作表示部２７とが設けてある。操作表示部２７は温度などの動作条件の設定操作を受け付ける機能と炉内の温度やエラーコードなどの各種情報を表示する機能を果たす。また炉本体１１の正面左下部には、後述する炉室拡張ユニットのヒータを電気的に接続するためのコネクタ２８が設けてある。
【００４１】
炉本体１１の底部には空冷ファン１８が設けてある。ケーシング１５の内部には、空冷ファン１８が送り出す空気を通すための縦に延びた冷却通路１９が多数外周面に沿って設けて有る。外気が空冷ファン１８によって取り込まれて冷却通路１９を流れることにより、炉本体１１の表面温度が高温になることが防止される。
【００４２】
図５（ａ）は、電気炉１０の炉本体１１に取り付ける炉室拡張ユニット３０の正面を、同図（ｂ）は炉室拡張ユニット３０の右側面を、同図（ｃ）は炉室拡張ユニット３０の底面をそれぞれ示している。また図６は、図５のＡ−Ａ断面を示している。炉室拡張ユニット３０は、直方体の底面を除く５面を断熱性の壁で囲った中空の部屋形状を成している。底面に開口した接続口３４は、炉本体１１の開口部１３と同一の形状・大きさを成している。
【００４３】
炉室拡張ユニット３０の中空部分を取り囲む内壁は炉本体１１と同様の断熱材３１で構成されており、その周りを金属のケーシング３２で囲ってある。また断熱材３１には、図４に示したものと同じヒータ３３が埋め込まれている。ヒータ３３に配線された接続ケーブル３５は炉室拡張ユニット３０の正面左下部から外部へ延びており、接続ケーブル３５の先端に電気炉１０のコネクタ２８に適合したプラグ３６が設けてある。また炉室拡張ユニット３０の正面中央下部と左右側面の中央下部にはそれぞれ、電気炉１０の扉部１２に設けた係止片２４と同様の係止片３７が設けてある。
【００４４】
図１は、扉部１２を開放した電気炉１０の炉本体１１に炉室拡張ユニット３０を設置する様子を、図７は、炉本体１１に炉室拡張ユニット３０を設置した状態をそれぞれ示している。炉室拡張ユニット３０は、扉部１２を９０度以上開放した状態で、底面の接続口３４と炉本体１１の開口部１３との位置がちょうど合致するように位置合わせして炉本体１１の上に載置される。このとき、炉本体１１の開口部１３の周縁を成す断熱材１４の上端面と接続口３４の周縁を成す断熱材３１の下端面とが開口部１３の周囲一周で密接して、炉室拡張ユニット３０が開口部１３全体を覆うように設置される。
【００４５】
その後、正面と左右側面に設けたパチン錠２５、３７で炉室拡張ユニット３０が炉本体１１に固定される。さらに炉室拡張ユニット３０から延びる接続ケーブル３５の先端のプラグ３６を炉本体１１のコネクタ２８に差し込み、炉室拡張ユニット３０の取り付け作業が完了する。
【００４６】
図８は、扉部１２を閉じた標準構成の電気炉１０の前後方向略中央位置における縦断面を示し、図９は、炉室拡張ユニット３０を取り付けた電気炉１０の同一位置における縦断面を示している。扉部１２を閉じた状態では、扉部１２の断熱材２１が炉本体１１側の開口部１３の中に僅かに入り込むようにして開口部１３を閉鎖しており、扉部１２の断熱材２１の下面が炉室の天井面を形成している。
【００４７】
図９に示すように扉部１２を開いて炉室拡張ユニット３０を取り付けた場合には、炉室拡張ユニット３０が中空の部屋形状を成しているので、炉本体１１の開口部１３と炉室拡張ユニット３０の接続口３４とが連通することで、炉室拡張ユニット３０の中空部分の容積だけ炉内容積が拡大する。ここでは、開口部１３が炉本体１１の上面で上向きに開口し、その上に炉室拡張ユニット３０を設置しているので、炉内寸法が高さ方向に拡張される。
【００４８】
なお、炉本体１１に設けた冷却通路１９と同様の冷却通路を炉室拡張ユニット３０にも設け、炉室拡張ユニット３０を炉本体１１に設置した際に炉本体１１側の冷却通路１９と炉室拡張ユニット３０の冷却通路とが連通するようにし、空冷ファン１８からの送風で炉室拡張ユニット３０の表面温度が高温になるのを防止するように構成してもよい。
【００４９】
図１０は、陶芸用電気炉１０の有する回路のうちヒータの発熱制御に係わる部分の構成を示している。制御部４０は、マイクロコンピュータ等で構成されており、操作表示部２７や温度センサ１７が接続されている。また、制御部４０は、ヒータへの通電をオンオフしたり供給電力を制御したりする機能を有しており、炉本体１１のヒータ１６のほかコネクタ２８を介して炉室拡張ユニット３０のヒータ３３が接続される。ヒータ１６とコネクタ２８に接続した炉室拡張ユニット３０のヒータ３３とは電気的に並列に接続される。
【００５０】
制御部４０は、温度センサ１７の検知する炉内温度が目標温度になるようにヒータ１６やヒータ３３への電力供給を制御する。すなわち、炉本体１１の内蔵する温度センサ１７と制御部４０とにより炉室拡張ユニット３０のヒータ３３の発熱が制御される。これにより、炉室拡張ユニット３０には、温度センサや制御回路を別途設ける必要がなく、電気的な構成が簡略化される。
【００５１】
図１１は、炉室拡張ユニット３０と炉本体１１との間に筒状の炉室拡張ユニット５０を介挿する様子を示している。炉室拡張ユニット５０は、内壁が断熱材５１で構成された前後左右の側壁部を備え、底面と上面とが共に開口した筒形状を成している。炉室拡張ユニット５０の底面側は炉室拡張ユニット３０のそれと同一形状を成しており、炉室拡張ユニット５０の上面側が炉本体１１の上面と同一形状を成している。
【００５２】
炉本体１１と炉室拡張ユニット３０との間に筒状の炉室拡張ユニット５０を挿入することで炉内容積がさらに拡大される。炉本体１１と炉室拡張ユニット３０との間に挿入する炉室拡張ユニット５０は１個に限定されるものではなく、複数を連結して挿入してもよい。
【００５３】
以上、本発明の実施の形態を図面によって説明してきたが、具体的な構成は実施の形態に示したものに限られるものではなく、本発明の要旨を逸脱しない範囲における変更や追加があっても本発明に含まれる。たとえば、実施の形態では炉室拡張ユニット３０にヒータを設けたが、拡張する容積が少なく炉本体１１側のヒータで加熱しても焼成に影響を及ぼすような温度ムラが生じない場合には、炉室拡張ユニット３０や炉室拡張ユニット５０にヒータを設けなくてもよい。すなわち、拡張する容積に応じて、ヒータを有する炉室拡張ユニットとヒータを持たない炉室拡張ユニットの２種類を設けるとよい。
【００５４】
また、実施の形態では炉室拡張ユニット３０を接続ケーブルで炉本体１１に接続するようにしたが、炉本体１１の上面と炉室拡張ユニット３０の底部との対応する箇所に一対の雄雌コネクタを配置し、これにより炉室拡張ユニット３０のヒータ３３を炉本体１１の制御部４０に電気的に接続するように構成してもよい。
【００５５】
実施の形態では炉本体１１の温度センサ１７で炉室拡張ユニット３０側のヒータの発熱量を制御したが、炉室拡張ユニット３０にも温度センサを設け、その温度情報を炉本体１１の制御部４０に入力し、制御部４０がヒータ３３の発熱量を炉本体１１のヒータ１６と独立に制御するように構成してもよい。炉室拡張ユニット３０側にも温度センサを設けることで拡張した炉室内の温度をより正確に制御することができる。また、炉本体１１の制御部を兼用するので電気的な構成が簡略化される。
【００５６】
このほか、扉部１２を取り外し可能に構成し、筒状の炉室拡張ユニット５０の上に扉部１２を載置して使用するように構成してもよい。この場合、天井面を持つ炉室拡張ユニット３０は不要となり、筒状の炉室拡張ユニット５０を一種類だけ用意すれば、その連結数を変えることで多様な炉内容積を実現することができる。
【００５７】
また実施の形態では、高さ方向に炉室内寸法を拡張するものを例示したが、前後や幅方向に拡張するものであってもよい。
【００５８】
さらに実施の形態では、炉本体１１と扉部１２と炉室拡張ユニット３０、５０との組み合わせ方や組み合わせる数を変更することで炉内容積を変更可能に構成したが、複数の壁ユニットを組み合わせて中空の炉室を形成するとともに、組み合わせる壁ユニットの種類と数の少なくとも一方を変更でき、かつ、この変更により炉内容積が変化するように構成したものであれば、各壁ユニットをどのような形状にするかは限定されない。たとえば、サイズの異なる平板状の壁ユニットを複数種類用意し、これらを組み合わせて任意の大きさの炉室を形成し得るように構成してもよい。
【００５９】
また、実施の形態では、作品を出し入れするための開口部に炉室拡張ユニット３０を設置して炉内容積を拡張するようにしたが、作品出し入れ用の開口部とは別に設けた開口（常時は閉じられている）に炉室拡張ユニット３０を取り付けるように構成してもよい。
【図面の簡単な説明】
【００６０】
【図１】本発明の実施の形態に係わる炉室拡張ユニットを電気炉に載置する様子を示す説明図である。
【図２】本発明の実施の形態に係わる電気炉を示す正面図である。
【図３】本発明の実施の形態に係わる電気炉の扉部を開いた状態を示す上面図である。
【図４】本発明の実施の形態に係わる電気炉および炉室拡張ユニットで使用されるヒータの正面および側面を示す図である。
【図５】本発明の実施の形態に係わる炉室拡張ユニットの正面、右側面、底面を示す図である。
【図６】図５に示す炉室拡張ユニットのＡ−Ａ断面図である。
【図７】本発明の実施の形態に係わる炉室拡張ユニットを電気炉に取り付けた状態を示す説明図である。
【図８】扉部を閉じた標準構成の電気炉の前後方向略中央位置における縦断面を示す図である。
【図９】炉室拡張ユニットを取り付けて炉室を拡張した電気炉の前後方向略中央位置における縦断面を示す図である。
【図１０】本発明の実施の形態に係わる電気炉のヒータの発熱制御に係わる回路構成を示すブロック図である。
【図１１】炉室拡張ユニットと炉本体の間に筒状の炉室拡張ユニットを介挿する様子を示す説明図である。
【符号の説明】
【００６１】
１０…電気炉
１１…炉本体
１２…扉部
１３…開口部
１４…断熱材
１５…ケーシング
１６…ヒータ
１７…温度センサ
１８…空冷ファン
１９…冷却通路
２１…断熱材
２２…ケーシング
２３…ステー
２４…係止片
２５…係合片
２６…電源スイッチ
２７…操作表示部
２８…コネクタ
３０…炉室拡張ユニット
３１…断熱材
３２…ケーシング
３３…ヒータ
３４…接続口
３５…接続ケーブル
３６…プラグ
３７…係止片
４０…制御部
５０…筒状の炉室拡張ユニット
５１…断熱材
【図１】
2005337534.tif 000003
【図２】
2005337534.tif 000004
【図３】
2005337534.tif 000005
【図４】
2005337534.tif 000006
【図５】
2005337534.tif 000007
【図６】
2005337534.tif 000008
【図７】
2005337534.tif 000009
【図８】
2005337534.tif 000010
【図９】
2005337534.tif 000011
【図１０】
2005337534.tif 000012
【図１１】
2005337534.tif 000013